(57)【要約】【課題】送信元の電子機器における辞書検索の結果を、送信先の電子機器において簡単に利用させることを可能にする。【解決手段】電子辞書サーバ１４は、送信元の通信電子辞書１０から受信した辞書を識別するための特定情報と見出し語情報と語義の分類情報、及び送信先の電子機器に搭載された辞書の特定情報とを受信し、送信元と送信先の辞書が一致しな場合に、受信した見出し語情報と分類情報をもとに送信先の辞書に対応する見出し語情報と語義の分類情報を検出して送信する。【選択図】    図１
2004265146.tif 000002
【特許請求の範囲】
【請求項１】
送信元の電子機器から同機器に搭載された辞書を識別するための第１の特定情報と前記辞書で用いられる見出し語情報と語義の分類情報、及び送信先の電子機器に搭載された辞書を識別するための第２の特定情報とを受信する受信手段と、
前記受信手段によって受信された前記第１の特定情報と前記第２の特定情報とが一致するかを判別する特定情報判別手段と、
前記特定情報判別手段によって特定情報が一致しないと判別された場合に、前記見出し語情報と前記分類情報をもとに、前記送信先の電子機器に送信する前記第２の特定情報が示す辞書に対応する見出し語情報と語義の分類情報を検出する情報検出手段と、
前記情報検出手段によって検出された前記第２の特定情報が示す辞書に対応する見出し語情報と語義の分類情報を前記送信先の電子機器に送信する送信手段とを具備したことを特徴とする電子辞書管理装置。
【請求項２】
複数の辞書に記録された共通する見出し語情報毎に、各辞書の見出し語情報に対応する語義の分類情報を前記複数の辞書間で同じ語義同士を関連づけて記録する語義リンク記録手段を有し、
前記情報検出手段は、前記語義リンク記録手段により関連付けて記録された各辞書の見出し語に対応する語義の分類情報をもとに、前記見出し語情報と語義の分類情報を検出することを特徴とする請求項１記載の電子辞書管理装置。
【請求項３】
前記送信元の電子機器から前記送信先の電子機器に対する音声の送信依頼を受信する音声送信依頼受信手段と、
前記音声送信依頼受信手段によって音声の送信依頼を受信した場合に、前記情報検出手段によって検出された前記見出し語と語義の分類情報に対応する情報の音声データを生成する音声データ生成手段と、
前記音声データ生成手段によって生成された音声データを前記送信先の電子機器に送信する音声送信手段とを具備したことを特徴とする請求項１記載の電子辞書管理装置。
【請求項４】
前記音声送信依頼受信手段は、前記送信依頼と共に音質の種類を示すデータを受信し、
前記音声データ生成手段は、前記音声送信依頼受信手段によって受信した音質の種類を示すデータに応じた音声データを生成することを特徴とする請求項３記載の電子辞書管理装置。
【請求項５】
前記音声送信依頼受信手段によって受信される音質の種類を示すデータは、人物を示すデータであることを特徴とする請求項４記載の電子辞書管理装置。
【請求項６】
見出し語情報に対応して語義の分類情報毎に分類された説明情報を記録する記録手段と、
前記情報検出手段によって検出された見出し語情報と語義の分類情報に対応する説明情報を前記記録手段から取得する説明情報取得手段とを具備し、
前記送信手段は、前記説明情報を前記送信先の電子機器に送信することを特徴とする請求項１記載の電子辞書管理装置。
【請求項７】
前記記録手段により記録される説明情報は、前記電子機器に搭載された辞書において用いられる見出し語情報と語義の分類情報のそれぞれに対して記録された情報の一部であることを特徴とする請求項６記載の電子辞書管理装置。
【請求項８】
見出し語情報に対応する説明情報を記録する辞書記録手段と、
送信元の電子機器から見出し語情報を受信する受信手段と、
前記受信手段によって受信された見出し語情報に対応する、前記辞書記録手段に記録された説明情報を読み上げるための音声データを生成する音声データ生成手段と、
前記受信手段によって受信された見出し語情報と前記音声データ生成手段によって生成された音声データとを送信先の電子機器に対して送信する送信手段とを具備したことを特徴とする電子辞書管理装置。
【請求項９】
前記受信手段は、前記送信元の電子機器から見出し語情報と共に音質の種類を示すデータを受信し、
前記音声データ生成手段は、前記受信手段によって受信した音質の種類を示すデータに応じた音声データを生成することを特徴とする請求項８記載の電子辞書管理装置。
【請求項１０】
前記受信手段によって受信される音質の種類を示すデータは、人物を示すデータであることを特徴とする請求項８記載の電子辞書管理装置。
【請求項１１】
前記送信手段は、前記受信手段によって受信された見出し語情報に対応する前記辞書記録手段に記録された説明情報を送信先の電子機器に対して送信することを特徴とする請求項８記載の電子辞書管理装置。
【請求項１２】
コンピュータを、
送信元の電子機器から同機器に搭載された辞書を識別するための第１の特定情報と前記辞書で用いられる見出し語情報と語義の分類情報、及び送信先の電子機器に搭載された辞書を識別するための第２の特定情報とを受信する受信手段と、前記受信手段によって受信された前記第１の特定情報と前記第２の特定情報とが一致するかを判別する特定情報判別手段と、
前記特定情報判別手段によって特定情報が一致しないと判別された場合に、前記見出し語情報と前記分類情報をもとに、前記送信先の電子機器に送信する前記第２の特定情報が示す辞書に対応する見出し語情報と語義の分類情報を検出する情報検出手段と、
前記情報検出手段によって検出された前記第２の特定情報が示す辞書に対応する見出し語情報と語義の分類情報を前記送信先の電子機器に送信する送信手段とに機能させるための辞書データ送信プログラム。
【請求項１３】
コンピュータを、
見出し語情報に対応する説明情報を記録する辞書記録手段と、
送信元の電子機器から見出し語情報を受信する受信手段と、
前記受信手段によって受信された見出し語情報に対応する、前記辞書記録手段に記録された説明情報を読み上げるための音声データを生成する音声データ生成手段と、
前記受信手段によって受信された見出し語情報と前記音声データ生成手段によって生成された音声データとを送信先の電子機器に対して送信する送信手段とに機能させるための辞書データ送信プログラム。
【発明の詳細な説明】
【０００１】
【発明の属する技術分野】
本発明は、電子化された見出し語情報に対応する説明情報のデータを送信する電子辞書管理装置、及び辞書データ送信プログラムに関する。
【０００２】
【従来の技術】
一般に、英和辞典、和英辞典、国語辞典、百科事典など各種の事典や辞書の内容を電子化して記録し、簡単に検索することができる機能が搭載された電子辞書（装置）が広く利用されている。こうした電子辞書では、見出し語と、その見出し語に対応する説明内容とが関連付けられて記録されており、見出し語を選択するあるいは文字列を入力することで、この入力された見出し語（あるいは文字列）に対応する説明内容を表示させることができる。
【０００３】
近年では、携帯電話などにおいても英和辞典などの電子辞書の機能を搭載し、この電子辞書によって検索した単語や検索結果を電子メールの本文やメモに貼り付けて利用できるようになっている。
【０００４】
また、特許文献１に掲載されているように電子辞書に通信機能を搭載し、パーソナルコンピュータなど他の電子装置と通信することができるものも考えられている。特許文献１に記載されている電子辞書は、パーソナルコンピュータの表示部で表示された英文のテキスト中で検索対象とする単語が範囲指定されることで、この範囲指定された単語データを通信によって受信し、この単語データについての検索を実行して、検索結果をパーソナルコンピュータに送信して表示させることができる。
【０００５】
【特許文献１】
特開２００１−１８８７９５号公報
【０００６】
【発明が解決しようとする課題】
従来の電子辞書を利用する場合には、検索しようとする単語などを探して、その単語を見出し語として逐次選択（あるいは入力）しなければならず作業が非常に煩雑となっていた。また、電子辞書が高機能化する程、１つの単語に対して複数の語義の説明情報が用意されていることが多く、見出し語を指定して検索された検索結果から、自らが必要としている内容の語義についての説明情報を、その説明情報を確認しながら探さなくてはならなかった。さらに従来の電子辞書では、見出し語の指定に応じて検索した結果（説明内容）については、その電子辞書を使用しているユーザだけしか参照することができない。電子辞書には、ヒストリ機能と呼ばれる過去の検索結果を保存する機能を有しているものもあるが、このヒストリ機能を使用しても、実際に検索を実行した電子辞書でなければ検索結果を利用することができなかった。
【０００７】
また、携帯電話に搭載された電子辞書の機能では、電子メールに検索結果を貼り付けることで、電子メールの本文として他の携帯電話の利用者に検索結果を閲覧させることができる。しかしながら、電子辞書の検索結果としてではなく、メール本文として閲覧できるだけである。さらに、電子メールの送信側では、例えば電子辞書の機能によって、ある１つの単語に対して多数の語義についての説明情報が得られた場合には、辞書から検索された説明情報の全てを送信するか、あるいは前述と同様にして必要とする語義の説明情報を的確に選択してメールに貼り付けて送信しなければならない。
【０００８】
また、特許文献１に掲載された電子辞書においても、パーソナルコンピュータからの要求に応じて検索を実行するので、その検索結果についてはパーソナルコンピュータにおいて利用できるのみとなっていた。また、電子辞書を利用するたびに通信によって検索要求を送信し、その検索結果を取得しなければならなかった。さらに、この場合も電子辞書によって検索された検索結果が１つの単語に対して複数の語義の説明情報が含まれる場合には、必要とする語義の説明情報をさらに探す必要がある。
【０００９】
さらに、電子辞書（装置）の違いによって記録されている辞書の内容が異なる場合がある。特に、見出し語に対応して複数の語義がある場合には、電子辞書毎に語義の数や優先順（記載順）が異なっている場合がある。従って、ある電子辞書に記録されたある見出し語に対する語義に関する情報（例えば、語義の記載順などを表す語義番号）を知り得たとしても、他の電子辞書で利用することで必要とする語義の説明情報を得ることはできなかった。
【００１０】
本発明は、前記のような問題に鑑みなされたもので、送信元の電子機器において辞書検索等によって特定した見出し語や語義のデータを、他の電子機器において簡単に利用させることを可能にする電子辞書管理装置、辞書データ送信プログラムを提供することを目的とする。
【００１１】
【課題を解決するための手段】
本発明の請求項１の電子辞書管理装置によれば、受信手段により、送信元の電子機器から同機器に搭載された辞書を識別するための第１の特定情報と前記辞書で用いられる見出し語情報と語義の分類情報、及び送信先の電子機器に搭載された辞書を識別するための第２の特定情報とが受信され、特定情報判別手段により、前記受信手段によって受信された前記第１の特定情報と前記第２の特定情報とが一致するかが判別される。前記特定情報判別手段によって特定情報が一致しないと判別された場合に、情報検出手段により、前記見出し語情報と前記分類情報をもとに、前記送信先の電子機器に送信する前記第２の特定情報が示す辞書に対応する見出し語情報と語義の分類情報が検出され、送信手段により、前記情報検出手段によって検出された前記第２の特定情報が示す辞書に対応する見出し語情報と語義の分類情報を前記送信先の電子機器に送信される。
【００１２】
これにより、見出し語情報に対して複数の語義の説明情報がある場合であっても、送信元の電子機器における辞書検索によって得られた見出し語情報と語義の分類情報を利用して、送信先の電子機器に搭載された辞書の該当する見出し語情報の語義の分類情報に対応する説明情報を簡単に利用させることができる。
【００１３】
本発明の請求項２の電子辞書管理装置によれば、語義リンク記録手段により、複数の辞書に記録された共通する見出し語情報毎に、各辞書の見出し語情報に対応する語義の分類情報が前記複数の辞書間で同じ語義同士を関連づけて記録される。そして、前記情報検出手段により、前記語義リンク記録手段により関連付けて記録された各辞書の見出し語に対応する語義の分類情報をもとに、前記見出し語情報と語義の分類情報が検出される。
【００１４】
これにより、語義リンク記録手段によって記録された、各辞書の見出し語情報毎の語義の分類情報の関連づけを参照することで、受信した見出し語情報と語義の分類情報に対する送信先の電子機器の辞書における見出し語情報と語義情報を簡単に取得して、送信先の電子機器に送信することができる。
【００１５】
本発明の請求項３の電子辞書管理装置によれば、音声送信依頼受信手段により、前記送信元の電子機器から前記送信先の電子機器に対する音声の送信依頼が受信され、前記音声送信依頼受信手段によって音声の送信依頼を受信した場合に、音声データ生成手段により、前記情報検出手段によって検出された前記見出し語と語義の分類情報に対応する情報の音声データが生成され、音声送信手段により、前記音声データ生成手段によって生成された音声データが前記送信先の電子機器に送信される。
【００１６】
これにより、送信元の電子機器から受信した音声の送信依頼に応じて、送信先の電子機器に対して、見出し語情報と語義の分類情報に加えて、語義の分類情報に対応する情報（例えば辞書に記録される説明情報）の音声データを送信して、送信先の電子機器において情報内容を音声によって出力させることができる。
【００１７】
本発明の請求項４の電子辞書管理装置によれば、前記音声送信依頼受信手段により、前記送信依頼と共に音質の種類を示すデータが受信され、前記音声データ生成手段により、前記音声送信依頼受信手段によって受信した音質の種類を示すデータに応じた音声データが生成される。
【００１８】
これにより、送信先の電子機器に対して送信される音声データが再生された時の音質を、送信元の電子機器から指定することができる。
【００１９】
本発明の請求項５の電子辞書管理装置によれば、前記音声送信依頼受信手段によって受信される音質の種類を示すデータは、人物を示すデータとする。
【００２０】
これにより、歴史上の人物や著名人などの有名人（人物）を送信元の電子機器から指定して、送信先の電子機器においての有名人による（擬似）音声を出力させることができる。
【００２１】
本発明の請求項６の電子辞書管理装置によれば、記録手段により、見出し語情報に対応して語義の分類情報毎に分類された説明情報が記録され、説明情報取得手段により、前記情報検出手段によって検出された見出し語情報と語義の分類情報に対応する説明情報が前記記録手段から取得され、前記送信手段によって、前記説明情報が前記送信先の電子機器に送信される。
【００２２】
これにより、語義の分類情報に対応する説明情報が送信先の電子機器に記録されていない場合、すなわち辞書が搭載されていない場合であっても、電子辞書管理装置から説明情報を送信することで、送信先の説明情報の内容を利用することができる。
【００２３】
本発明の請求項７の電子辞書管理装置によれば、前記記録手段により記録される説明情報は、前記電子機器に搭載された辞書において用いられる見出し語情報と語義の分類情報のそれぞれに対して記録された情報の一部であるとする。
【００２４】
これにより、送信先の電子機器では、電子辞書管理装置から受信した情報を一覧表示させるなど、見出し語情報と語義の分類情報に対応する情報の全てを必要としない処理に利用することができる。
【００２５】
本発明の請求項８の電子辞書管理装置によれば、辞書記録手段により、見出し語情報に対応する説明情報が記録され、受信手段により、送信元の電子機器から見出し語情報が受信される。音声データ生成手段により、前記受信手段によって受信された見出し語情報に対応する前記辞書記録手段に記録された説明情報を読み上げるための音声データが生成され、送信手段により、前記受信手段によって受信された見出し語情報と前記音声データ生成手段によって生成された音声データとが送信先の電子機器に対して送信される。
【００２６】
これにより、送信元の電子機器における辞書検索によって得られた見出し語情報に該当する説明情報を、送信先の電子機器において音声によって取得させることができる。
【００２７】
本発明の請求項９の電子辞書管理装置によれば、前記受信手段によって、前記送信元の電子機器から見出し語情報と共に音質の種類を示すデータを受信され、前記音声データ生成手段によって、前記受信手段によって受信した音質の種類を示すデータに応じた音声データが生成される。
【００２８】
これにより、送信先の電子機器に対して送信される音声データが再生された時の音質を、送信元の電子機器から指定することができる。
【００２９】
本発明の請求項１０の電子辞書管理装置によれば、前記受信手段によって受信される音質の種類を示すデータが人物を示すデータとする。
【００３０】
これにより、歴史上の人物や著名人などの有名人（人物）を送信元の電子機器から指定して、送信先の電子機器においての有名人による（擬似）音声を出力させることができる。
【００３１】
本発明の請求項１１の電子辞書管理装置によれば、前記送信手段によって、前記受信手段によって受信された見出し語情報に対応する前記辞書記録手段に記録された説明情報が送信先の電子機器に対して送信される。
【００３２】
これにより、説明情報を読み上げるための音声データだけでなく、説明情報が送信され、送信先の電子機器において説明情報を表示させるなど、他の処理に利用することができる。
【００３３】
本発明の請求項１２の辞書データ送信プログラムによれば、コンピュータにより実行させることで、送信元の電子機器から同機器に搭載された辞書を識別するための第１の特定情報と前記辞書で用いられる見出し語情報と語義の分類情報、及び送信先の電子機器に搭載された辞書を識別するための第２の特定情報とを受信する受信手段と、前記受信手段によって受信された前記第１の特定情報と前記第２の特定情報とが一致するかを判別する特定情報判別手段と、前記特定情報判別手段によって特定情報が一致しないと判別された場合に、前記見出し語情報と前記分類情報をもとに、前記送信先の電子機器に送信する前記第２の特定情報が示す辞書に対応する見出し語情報と語義の分類情報を検出する情報検出手段と、前記情報検出手段によって検出された前記第２の特定情報が示す辞書に対応する見出し語情報と語義の分類情報を前記送信先の電子機器に送信する送信手段とに機能させることができる。
【００３４】
これにより、コンピュータにおいて、見出し語情報に対して複数の語義の説明情報がある場合であっても、送信元の電子機器における辞書検索によって得られた見出し語情報と語義の分類情報を利用して、送信先の電子機器に搭載された辞書の該当する見出し語情報の語義の分類情報に対応する説明情報を簡単に利用させることができる。
【００３５】
本発明の請求項請求項１３の辞書データ送信プログラムによれば、コンピュータにより実行させることで、見出し語情報に対応する説明情報を記録する辞書記録手段と、送信元の電子機器から見出し語情報を受信する受信手段と、前記受信手段によって受信された見出し語情報に対応する、前記辞書記録手段に記録された説明情報を読み上げるための音声データを生成する音声データ生成手段と、前記受信手段によって受信された見出し語情報と前記音声データ生成手段によって生成された音声データとを送信先の電子機器に対して送信する送信手段とに機能させることができる。
【００３６】
これにより、コンピュータにより、送信元の電子機器における辞書検索によって得られた見出し語情報に該当する説明情報を、送信先の電子機器において音声によって取得させることができる。
【００３７】
【発明の実施の形態】
以下、図面を参照して本発明の実施の形態について説明する。
【００３８】
図１は、本実施形態における電子辞書検索履歴管理システムの構成を示すブロック図である。図１に示すように、電子辞書検索履歴管理システムは、複数の通信電子辞書１０（１０ａ，１０ｂ、１０ｃ，１０ｄ）がそれぞれインターネット１４と接続されている。通信電子辞書１０は、例えば通信機能が搭載された辞書検索専用装置、パーソナルコンピュータ、携帯電話、ＰＤＡ（ｐｅｒｓｏｎａｌ  ｄｉｇｉｔａｌ  ａｓｓｉｓｔａｎｔ）などの各種電子機器によって実現される。なお、通信電子辞書１０は、インターネット１４だけに限らず、公衆回線網などの各種通信系を含むネットワークを介して接続することもできる。
【００３９】
通信電子辞書１０は、見出し語情報と、その見出し語情報に対応して少なくとも１つの語義の分類情報（語義番号）ごとに分類された説明情報を記録する辞書データを有し、見出し語が選択される、あるいは文字列が入力されることで、この入力された見出し語（あるいは文字列）に対応する語義番号と説明情報とを検索して表示する電子辞書機能が搭載されている。通信電子辞書１０は、通信機能によって、インターネット１２を通じて、他の情報機器（電子辞書サーバ１４、パーソナルコンピュータ、他の通信電子辞書など）との通信によりデータを送受信することができる。
【００４０】
電子辞書サーバ１４（電子辞書管理装置）は、辞書データ送信サービスを提供するもので、ネットワーク上のサーバシステムやパーソナルコンピュータなどの情報機器によって実現される。電子辞書サーバ１４は、通信電子辞書１０によって実行された検索結果の情報、例えば見出し語情報と語義番号とを、インターネット１４を通じて受信し、この情報に対応する検索結果の情報を送信元の通信電子辞書１０から指示された他の通信電子辞書１０に対して送信する機能を有する。電子辞書サーバ１４は、例えば見出し語情報と語義番号を他の通信電子辞書１０に対して送信することで、他の通信電子辞書１０において送信元の通信電子辞書１０において実行された辞書検索によって得られた情報を出力（表示、音声出力）させることができる。また、電子辞書サーバ１４は、送信先の通信電子辞書１０に対して検索結果を送信する際に、検索結果の内容（説明情報など）を読み上げる音声データを作成して送信する機能をも有する。
【００４１】
図２は、本実施形態における通信電子辞書１０（１０ａ，１０ｂ，１０ｃ，１０ｄ）の構成を示すブロック図である。通信電子辞書１０は、見出し語情報と、その見出し語情報に対応して少なくとも１つの語義の分類情報（語義番号）ごとに分類された説明情報を記録する辞書の辞書データを有し、見出し語が選択される、あるいは文字列が入力されることで、この入力された見出し語（あるいは文字列）に対応する語義番号と説明情報とを検索して表示する電子辞書機能が搭載されている。通信電子辞書１０は、さらに通信機能が搭載されており、インターネット１２を通じて電子辞書サーバ１４との間の通信により検索結果の履歴（ヒストリ）のデータを送受信することができる。ヒストリデータには、検索された見出し語だけでなく、見出し語に対して複数の語義がある場合にユーザが検索結果として選択した語義の語義番号を含んでいる。
【００４２】
図２に示すように、通信電子辞書１０は、ＣＰＵ２０がメモリ２２、記録装置２４、入力部２６、表示部２７、音声出力部２８、及び通信部２９と相互に接続されて構成される。
【００４３】
ＣＰＵ２０は、通信電子辞書１０全体の制御を司るもので、メモリ２２に記録されたプログラムを実行することにより各種の処理を実行する。ＣＰＵ２０は、メモリ２２に記録された辞書管理制御プログラム２２ａ（電子辞書プログラム）を実行することにより、入力された文字列（見出し語）をもとに辞書データ２２ｂを検索し、該当する見出し語に対応する説明情報を表示する電子辞書機能（辞書検索処理（図１０、図１１）、受信ヒストリ表示処理（図１２））を実現する。
【００４４】
メモリ２２は、ＣＰＵ２０によってアクセスされるプログラムやデータが記録されるもので、本実施形態では例えば辞書管理制御プログラム２２ａなどの各種プログラムや、各プログラムを実行する際に用いられる各種データの他、作業用のデータを一時的に記録するためのワークエリアなどが設定される。辞書管理制御プログラム２２ａの実行に伴って格納される各種データとしては、見出し語情報と少なくとも１つの語義番号ごとに分類された説明情報とが関連付けられて記録された辞書の内容が電子化された辞書データ２２ｂ、辞書データ２２ｂを用いた検索結果（見出し語、語義番号）の履歴を記録するＭｙヒストリデータ２２ｃ、他の通信電子辞書１０において実行された検索結果を受信して記録する受信ヒストリデータ２２ｄ、他の通信電子辞書に対して送信した検索結果（見出し語、語義番号）の履歴を記録する送信ヒストリデータ２２ｅ、他の通信電子辞書の利用者に関するデータ、例えば、アドレス、利用者名、利用者の似顔絵を図像化したアイコンデータ、利用者が所持している通信電子辞書に搭載されている辞書名（辞書を識別する特定情報）などを含むデータが記録された似顔絵友達帳データ２２ｆ、電子辞書サーバ１４から受信した他の通信電子辞書１０により実行された検索結果と共に受信した有名人音声合成データ２２ｇ、他の通信電子辞書に対して検索結果と共に有名人音声合成データの送信を電子辞書サーバ１４に対して要求するために用いられる有名人データ２２ｈ、辞書データ２２ｂに記録されたデータ（例えばテキストデータ）をもとに検索結果を読み上げさせる音声の音声データを生成するための音声合成用データ２２ｋなどが含まれる。
【００４５】
なお、辞書データ２２ｂには、辞書を識別する特定情報、すなわち辞書名のデータが付加されているものとする。また、似顔絵友達帳データ２２ｆに登録されるデータ（アドレス、利用者名、アイコンデータ、辞書名など）は、必ずしも全てが登録されている必要はない。また、有名人データ２２ｈには、電子辞書サーバ１４において音声合成データを生成することができる複数の人物、ここでは歴史上の人物や著名人などの有名人に関するデータが含まれており、例えばそれぞれの有名人についての有名人名のデータと似顔絵を図像化したアイコンデータが含まれているものとする。アイコンデータは、送信先や有名人別・音声合成用データを指定させるための指定表示画面を表示する際に用いられる（図１５（ｂ）参照）。有名人データ２２ｈは、電子辞書サーバ１４からインターネット１２を通じてダウンロードすることができるものとする。また、音声合成用データ２２ｋには、限られた種類の音声を生成するためのデータのみが含まれているものとする（例えば男性音声と女性音声の２種類あるいは何れか１種類など）。また、辞書データ２２ｂと対応づけて、各見出し語のそれぞれの語義についての先頭の内容（先頭データ）だけを登録したテーブル（語義見出しテーブル）が用意されていても良い。
【００４６】
記録装置２４は、記録媒体２５を有しており、記録媒体２５に対するプログラム、データ等の記録や読み出しを実行する。記録媒体２５は磁気的、光学的記録媒体、もしくは半導体メモリで構成され、記録装置２４に固定的に設けたもの、もしくは着脱自在に装着するものである。また、記録媒体２５に記録されるプログラム、データ等は、通信回線等を介して接続された他の機器から受信して記録する構成にしても良く、さらに、通信回線等を介して接続された他の機器側に記録媒体を備えた記録装置を設け、この記録媒体に記録されているプログラムやデータを、通信回線を介して使用する構成にしても良い。
【００４７】
入力部２６は、複数の文字キーが配列されたキーボードや、マウスなどポインティングデバイスにより構成され、データや各種の指示を入力するために用いられる。また、入力部２６には、上下左右方向を指示するためのカーソルキー、検索履歴を表示するヒストリーモードへの移行を指示するためのヒストリーキー、辞書データ２２ｂの説明情報中に含まれる用例の表示を指示するための用例キー、検索に利用する辞書を選択するための辞書キー、入力した検索文字列（見出し語）に対する説明情報の表示や選択決定などを指示するための訳／決定キー、音声データの再生の実行を指示するための音声キーなどが設けられている。
【００４８】
表示部２７は、各種情報を表示するためのもので、メモリ２２に格納された各種プログラムの実行に伴う画面を表示する。
音声出力部２８は、各種音声を出力するためのもので、メモリ２２に格納された各種プログラムの実行に伴う音声を出力する。特に音声出力部２８は、辞書管理制御プログラム２２ａの実行に伴って、検索結果の内容（説明情報など）を読み上げる音声出力に用いられる。
通信部２９は、ＣＰＵ２０の制御のもとで、インターネット１２や各種ネットワークを介して他の情報機器（電子辞書サーバ１４、パーソナルコンピュータ、他の通信電子辞書など）との通信を実行する。
【００４９】
図３は、本実施形態における電子辞書サーバ１４の構成を示すブロック図である。
図３に示すように、電子辞書サーバ１４は、ＣＰＵ３０がメモリ３２、記録装置３４、入力部３６、表示部３７、及び通信部３８と相互に接続されて構成される。
【００５０】
ＣＰＵ３０は、電子辞書サーバ１４全体の制御を司るもので、メモリ３２に記録されたプログラムを実行することにより各種の処理を実行する。ＣＰＵ３０は、メモリ３２に記録された辞書データ送信プログラム３２ａを実行することにより、インターネット１２を通じて受信した検索結果を、指定された他の通信電子辞書１０などに送信する辞書データ送信サービス機能（サーバ処理（図１３））を実現する。
【００５１】
メモリ３２は、ＣＰＵ３０によってアクセスされるプログラムやデータが記録されるもので、本実施形態では例えば辞書データ送信プログラム３２ａなどの各種プログラムや、各プログラムを実行する際に用いられる各種データの他、作業用のデータを一時的に記録するためのワークエリアなどが設定される。辞書データ送信プログラム３２ａの実行に伴って格納される各種データとしては、通信電子辞書１０に搭載された電子辞書機能で用いられる複数の異なる辞書に記録された共通する見出し語毎に、各辞書の見出し語に対応する語義の語義番号（分類情報）を複数の辞書間で同じ語義同士を関連づけて記録する語義リンクテーブル３２ｂ（詳細については後述する（図８、図９））、通信電子辞書１０から受信した検索結果（見出し語、語義番号）を各通信電子辞書１０毎に分類して記録する個別ヒストリデータ３３ｃ、個別ヒストリデータ３３ｃに記録された検索結果を指定された送信先に送信する際に、検索結果の内容を特定の音質による音声、すなわち本実施形態では有名人による音声によって読み上げる音声データを生成するための有名人別・音声合成用データ３３ｄなどが含まれている。有名人別・音声合成用データ３３ｄは、例えば著名人や歴史上の人物の顔や年齢から顔骨格データを作成して、その人が発する音声の特徴をもった音声を合成する技術を用いて作成される。この有名人別・音声合成用データ３３ｄを用いることで、例えばテキストデータから、それを著名人や歴史上の人物などの有名人が読み上げた場合の擬似音声を合成することができる。
【００５２】
記録装置３４は、記録媒体３５を有しており、記録媒体３５に対するプログラム、データ等の記録や読み出しを実行する。記録媒体３５は磁気的、光学的記録媒体、もしくは半導体メモリで構成され、記録装置３４に固定的に設けたもの、もしくは着脱自在に装着するものである。また、記録媒体３５に記録されるプログラム、データ等は、通信回線等を介して接続された他の機器から受信して記録する構成にしても良く、さらに、通信回線等を介して接続された他の機器側に記録媒体を備えた記録装置を設け、この記録媒体に記録されているプログラムやデータを、通信回線を介して使用する構成にしても良い。
【００５３】
入力部３６は、複数の文字キーが配列されたキーボードや、マウスなどポインティングデバイスにより構成される。
【００５４】
表示部３７は、各種情報を表示するためのもので、メモリ３２に格納された各種プログラムの実行に伴う画面を表示する。
通信部３８は、ＣＰＵ３０の制御のもとでインターネット１２を通じて他の電子機器（通信電子辞書１０など）との通信を実行する。
【００５５】
次に、通信電子辞書１０において扱われる各データの詳細について説明する。
図４には、Ｍｙヒストリデータ２２ｃとして記録されるデータの一例を示している。図４に示すように、検索結果の履歴として、辞書データ２２ｂに対する検索対象となった見出し語と、この見出し語に対応する少なくとも１つある語義から選択された語義の品詞及び語義番号と、検索が実行された日付を示すデータとが対応づけられて順次記録される。
【００５６】
図５には、受信ヒストリデータ２２ｄとして記録されるデータの一例を示している。図５に示すように、電子辞書サーバ１４を通じて受信した他の通信電子辞書１０における検索結果として、見出し語、品詞、語義番号と共に、送信者名、検索が実行された日付、音声データ管理用の各データが対応づけて順次記録される。音声データ管理用データには、音声データの有無と、音声データ有りの場合に音声データの生成に用いた音声合成用データが何れの有名人（人物）のものであるかを示すデータが含まれる。例えば、図５の見出し語「ｌｉｆｅ」に対応する音声データ管理用データには、音声データ「有」、有名人名「マリ＊ン」が記録されている。
【００５７】
図６には、送信ヒストリデータ２２ｅとして記録されるデータの一例を示している。図６に示すように、電子辞書サーバ１４を通じて他の通信電子辞書に対して送信した検索結果として見出し語、品詞及び語義番号の他、送信先名、送信日を示す日付、音声データ管理用の各データが対応づけて順次記録される。音声データ管理用データには、音声データの有無と、音声データ有りの場合に音声データの生成に用いた音声合成用データが何れの有名人のものであるかを示すデータが含まれる。例えば、検索結果として、見出し語「ｐｒｏｂｌｅｍ」、語義番号「１」、品詞「名（名詞）」については、友人の「ミユキ」「アミ」に対して、１１月２５日に、音声データ「有」、有名人「マリ＊ン」の音声合成用のデータを用いて合成された音声データを共に送信したことを示すデータが記録されている。
【００５８】
図７には、似顔絵友達帳データ２２ｆとして記録されるデータの一例を示している。図７に示すように、似顔絵友達帳データ２２ｆには、他の通信電子辞書の利用者、すなわち検索結果の送信先に関するデータとして、例えば利用者名（名前）、アドレス、利用者の似顔絵を図像化したアイコンデータ、利用者が所持している通信電子辞書に搭載されている辞書名（辞書を識別する特定情報）などを含むデータが対応づけて記録されている。例えば、利用者「ミユキ」が使用している通信電子辞書１０では、辞書名「ニュ○セ○チュリー英和辞書」の辞書データ２２ｂが搭載されていることを示している。
【００５９】
次に、電子辞書サーバ１４において管理される語義リンクテーブル３２ｂの詳細について説明する。図８及び図９には、本実施形態における語義リンクテーブル３２ｂのデータ構成の一例を示している。
【００６０】
語義リンクテーブル３２ｂは、複数の異なる辞書に記録された共通する見出し語毎に、各辞書の見出し語に対応する語義の語義番号（分類情報）を複数の辞書間で同じ語義同士を関連づけて記録するもので、異なる辞書の辞書データにそれぞれ対応する複数の語義見出しテーブルを組み合わせて作成されている。語義見出しテーブルは、通信電子辞書１０で用いられる辞書（辞書データ２２ｂ）に登記憶されている見出し語毎に、見出し語に対して辞書データ２２ｂに登録されている説明情報の一部として、品詞と語義番号（語義の分類情報）と説明情報のうち先頭部分にあるデータ（先頭データ）とが対応づけられて格納されている。１つの見出し語に対して複数の品詞についての説明情報が記録されている場合には、各品詞のそれぞれについての先頭データが記録されている。また、１つの見出し語について複数の語義についての説明内容が記録される場合には、語義のそれぞれについての先頭データが語義番号と対応づけて記録されている。
【００６１】
例えば、図８及び図９に示すジ○ニアス英和辞書に対応する語義見出しテーブルでは、見出し語「ｌｉｆｅ」については、品詞として「名（名詞）」が登録されているが、この品詞について１２つの語義番号１〜１２が記録されており、それぞれの語義番号１〜１２に対応する先頭データ、すなわち［生命、命…］［生物、生き物…］［人生、この世に生きること］…がそれぞれの語義番号と対応づけられて記録されている。図８及び図９には、その他にもニュ○セ○チュリー英和辞書、デ○リーコ○サイス英和辞書についての語義見出しテーブルが含まれている。
【００６２】
そして、各辞書（ジ○ニアス英和辞書、ニュ○セ○チュリー英和辞書、デ○リーコ○サイス英和辞書）に対応する語義見出しテーブルは、各見出し語毎に、各辞書の見出し語に対応する語義の語義番号を複数の辞書間で同じ（あるいは類似した）語義同士を関連づけている。
【００６３】
例えば、見出し語「ｌｉｆｅ」に対応する語義「生命」については、ジ○ニアス英和辞書の語義番号「１」、ニュ○セ○チュリー英和辞書の語義番号「１」、デ○リーコ○サイス英和辞書の語義番号「２」とが対応付けられている。なお、図９に示す見出し語「ｒｅｍｅｍｂｅｒ」のように、例えばデ○リーコ○サイス英和辞書のみに「遺産を残してくれる」の語義が登録されており、ジ○ニアス英和辞書及びニュ○セ○チュリー英和辞書には該当する語義が登録されていない。こうした場合、見出し語「ｒｅｍｅｍｂｅｒ」に対して語義番号として「０」を記録しておく。
【００６４】
なお、図８及び図９に示す語義リンクテーブル３２ｂでは、各辞書毎に見出し語と対応づけて品詞、語義番号、及び先頭データとを対応づけて登録しているが、見出し語と対応づけて語義番号のみが登録された構成とすることもできる。
【００６５】
次に、本実施形態における通信電子辞書１０の動作について、図１０乃至図１２に示すフローチャートを参照しながら説明する。ここでは、通信電子辞書１０ａの利用者の名前が「タロウ」であり、同様にして、通信電子辞書１０ｂの利用者は「ミユキ」、通信電子辞書１０ｃの利用者は「アミ」、通信電子辞書１０ｄの利用者は「ツヨシ」であるとして説明する。
【００６６】
まず、通信電子辞書１０における辞書検索処理について、図１０及び図１１に示すフローチャートを参照しながら説明する。
【００６７】
例えば「タロウ」は、教科書に掲載された英文中の単語の意味を通信電子辞書１０を使って調べるものとする。「タロウ」は、通信電子辞書１０に用意されているジ○ニアス英和辞書辞書（辞書データ２２ｂ）を検索対象とする辞書として、例えば「英和」辞書を示す辞書キーを押すことで指定する。ＣＰＵ２０は、辞書キーが押されることで、英和辞書を検索する辞書モードに移行する。英和辞書を検索する辞書モードの初期画面では、検索文字列を入力するための入力欄の他、Ｍｙヒストリデータ２２ｃ、受信ヒストリデータ２２ｄ、送信ヒストリデータ２２ｅの内容を表示するためのタグ（「ＭＹヒストリ」「受信ヒストリ」「送信ヒストリ」）が設けられている。
【００６８】
ＣＰＵ２０は、入力部２６を通じて「タロウ」により、検索対象とする検索文字列（単語）が入力され（ステップＡ１）、「訳／決定」キーの操作によって検索実行が指示されると、この検索文字列（単語）について辞書データ２２ｂに登録された見出し語を対象として検索を実行する（ステップＡ２）。
【００６９】
例えば、図１４（ａ）に示すように、検索対象とする辞書として「英和」（ここではジ○ニアス英和辞書を示す）が指定され、検索文字列として図７（ａ）に示す英文中の単語「ｌｉｆｅ」が入力されたものとする。
【００７０】
ＣＰＵ２０は、辞書データ２２ｂから検索対象とする検索文字列（単語）に該当する見出し語が得られると、その見出し語と、この見出し語に対応する各語義の語義番号と説明情報とを表示部２７において一覧表示させる（ステップＡ３）。例えば、図１４（ｂ）に示すように、見出し語（検索文字列）「ｌｉｆｅ」に対応する複数の語義の語義番号と先頭データの内容が、表示部２７の画面で表示可能な分（ここでは語義番号１〜５）について表示される。
【００７１】
また、ＣＰＵ２０は、この検索によって得られた検索結果、すなわち現在検索対象となった見出し語を示すデータをＭＹヒストリデータ２２ｄに仮登録し（ステップＡ４）、表示画面中に設けられたヒストリ表示エリア（例えば表示画面中の上部に設けられる）に、ＭＹヒストリデータ２２ｄから最後に登録された順に３単語を読み出して表示させる（ステップＡ５）。図１４（ｂ）に示す例では、「ｉｎ  ｓｈａｐｅ」「ｋｉｎｄ」「ｌｉｆｅ」の単語がＭＹヒストリデータ２２ｄの最新３単語として表示されている。
【００７２】
ここで、上または下方向のスクロールキーが押された場合（ステップＡ７）、ＣＰＵ２０は、反転カーソルの位置を現在の語義番号から上または下の次の語義番号に移動させる。そして、スクロールキーが繰り返し押され、反転カーソルの位置が画面端の語義番号にまで移動されると、画面スクロールさせて新たな語義番号に反転カーソルの位置を移動させて、この語義番号に対応する説明情報を表示させる（ステップＡ８）。こうして、任意の語義についての説明情報を表示させることができる。
【００７３】
説明情報には語義に対して「用例」に関する情報が付加されている。そして、この「用例」の情報が付加された語義に対しては「用例」を表す記号が表示されている。ＣＰＵ２０は、用例キーが押されると（ステップＡ１１）、その時の反転カーソルが位置している語義番号に対応する説明情報に「用例」の情報が付加されていれば用例表示モードへ移行し、その語義についての「用例」の情報を表示させる。また、辞書キーが押されると（ステップＡ１２）、ＣＰＵ２０は、指定された辞書を検索対象として辞書検索処理を実行するための辞書モードに移行する。
【００７４】
また、音声キーが押された場合（ステップＡ９）、ＣＰＵ２０は、現在、反転カーソルによって指定されている見出し語の語義の内容を読み上げるための音声データを生成し、この音声データに基づく音声を音声出力部２８から出力させる（ステップＡ１０）。この際、ＣＰＵ２０は、例えば辞書データ２２ｂに記録されている指定された見出し語の語義のデータ（例えばテキストデータ）をもとに、音声合成用データ２２ｋを用いて音声データを生成する。
【００７５】
一方、見出し語に対する語義番号と各語義の説明情報が一覧表示されている状態でヒストリキーが押された場合（ステップＡ６、Ｙｅｓ）、ＣＰＵ２０は、ヒストリモードに移行し、ヒストリ表示エリアの現在の見出し語（ここでは「ｌｉｆｅ」）を例えば反転表示などによって強調表示する。そして、検索結果として表示されている見出し語に対する複数の語義についての一覧表示において、最初の語義（例えば語義番号のみ）を例えば反転カーソル表示などにより強調表示する（ステップＡ１３）。例えば、図１４（ｃ）に示すように、「ヒストリ」キーを押すことで、ヒストリ表示エリア中の最新の見出し語「ｌｉｆｅ」が反転表示されると共に、検索結果として一覧表示されている語義番号「１」が反転カーソル表示される。
【００７６】
ここで、上または下方向のスクロールキーが押された場合（ステップＡ１４）、ＣＰＵ２０は、反転カーソルの位置を現在の語義番号から上または下の次の語義番号に移動させる。そして、スクロールキーが繰り返し押され、反転カーソルの位置が画面端の語義番号にまで移動されると、画面スクロールさせて新たな語義番号に反転カーソルの位置を移動させて、この語義番号に対応する説明情報を表示させる（ステップＡ１５）。例えば、図１５（ａ）に示すように、下スクロールキーが複数回押されることで、語義番号「６」に移動され、それに伴って画面スクロールにより語義番号「６」の説明情報を表示させる。また、Ｍｙヒストリデータ２２ｃに仮登録された最新の単語（ここでは「ｌｉｆｅ」）に対して指定された語義番号「６」と品詞「名（名詞）」を追加登録し、ヒストリ表示エリアにおいて見出し語と共に品詞と語義番号とを表示させる。
【００７７】
ここで、「訳／決定」キーが押された場合（ステップＡ１６、Ｙｅｓ）、ＣＰＵ２０は、検索結果の送信先と有名人音声を指定するための指定表示画面（サブウィンドウ）を表示させる（ステップＡ１７）。ＣＰＵ２０は、似顔絵友達帳データ２２ｆに予め記録されている他の通信電子辞書の利用者に関するデータをもとに、利用者名と利用者の似顔絵を図像化したアイコンとを対応づけて一覧表示し、また有名人音声合成データ２２ｇに含まれる有名人名のデータとアイコンデータをもとに、有名人名と有名人の似顔絵を図像化したアイコンとを対応づけて一覧表示する。
【００７８】
例えば、図１５（ｂ）に示すように、送信先と有名人音声の指定表示画面を表示する。図１５（ｂ）に示す例では、送信先として、「ミユキ」「アミ」「ツヨシ」などの利用者（友人）の名前とアイコンとが対応付けて表示されている。また、検索結果を他の通信電子辞書に対して送信しないことを指示するための「送信せず」の項目も用意されている。また、「マリ＊ン」「ジョンレ＊ン」などの有名人の名前とアイコンとが対応付けて表示されている。また、有名人音声無しを指示するための「音声なし」の項目も用意されている。さらに、指定表示画面における指定内容の最終確認を指示するための項目（「よろしいですか？」［はい］［いいえ］）が用意されている。
【００７９】
なお、指定表示画面の初期状態では「送信せず」「音声なし」、「試聴する？」［いいえ］、「よろしいですか？」［はい］が指定された状態にあるものとする。また、有名人の何れかが指定された場合には、「試聴する？」［はい］、「よろしいですか？」［いいえ］に自動設定して、ユーザによる変更操作が必要となるようにし、不用意に検索結果の送信が実行されないようにする。
【００８０】
ここで、「送信せず」が指定され、「よろしいですか？」の項目で「はい」が指定された状態で「訳／決定」キーが押された場合には（ステップＡ１９）（図１５（ｂ））、ＣＰＵ２０は、見出し語と反転カーソルによって指定されている語義番号と品詞を示すデータとを、Ｍｙヒストリデータ２２ｃに登録して辞書検索処理を終了する（ステップＡ２０）。
【００８１】
一方、例えば左右方向のカーソルキーが押されることで、「友人のアイコン」が指定された場合（ステップＡ１８、Ｙｅｓ）、ＣＰＵ２０は、指定された友人に対して検索結果を送信するための処理を実行する。
【００８２】
例えば、図１５（ｃ）では、右カーソルキーが押されることで、送信先の指定表示画面において「ミユキ」と「アミ」（ここでは２人）が送信先として指定されている。なお、送信先としては複数指定するだけでなく、当然ながら１人毎に指定することができる。
【００８３】
ここで、下カーソルキーが押された場合には、ＣＰＵ２０は、指定対象項目を有名人音声の有無に変更して、カーソル（図１５中、矩形枠で表す）を［音声なし］の位置に変更する。ここでは、左右カーソルキーの操作によって何れかの有名人を選択することができる。ここで、左右カーソルキーが操作されると、ＣＰＵ２０は、その操作に応じて、有名人名とアイコンの位置に順次カーソルを移動させる。
【００８４】
何れかの有名人が指定され（ステップＡ２１，Ａ２２）、「試聴する？」の項目が［はい］に選択された状態で「訳／決定」キーが押された場合（ステップＡ２３，Ａ２４）、ＣＰＵ２０は、指定された有名人と、辞書データ２２ｂに付加された辞書名のデータ（辞書を識別する特定情報）と、先に指定されている見出し語の語義番号の情報と共に試聴用音声データの送信要求を、通信部２９からインターネット１２を通じて電子辞書サーバ１４に送信する（ステップＡ２５）。
【００８５】
例えば、図１５（ｃ）に示す指定表示画面では、有名人として「マリ＊ン」が指定され、「試聴する？」の項目が［はい］に選択された状態で「訳／決定」キーが押されたことで、有名人「マリ＊ン」の情報が見出し語「ｌｉｆｅ」の語義番号「６」の情報と共に電子辞書サーバ１４に対して送信される。
【００８６】
通信電子辞書１０は、電子辞書サーバ１４に対して、有名人と見出し語の語義番号の情報を送信することで、この送信した見出し語の語義番号に該当する内容を指定した有名人の音声によって読み上げる有名人音声合成データを電子辞書サーバ１４から受信する。なお、電子辞書サーバ１４が通信電子辞書１０に対して有名人音声合成データを送信する処理については後述する（図１２、サーバ処理）。
【００８７】
ＣＰＵ２０は、通信部２９を通じて有名人音声合成データを受信すると、有名人音声合成データ２２ｇとして記録すると共に、このデータをもとに音声出力部２８から音声を出力させる（ステップＡ２６）。例えば、図１５（ｃ）に示すように、見出し語「ｌｉｆｅ」の語義番号「６」に対応する内容「生活、暮し（方）、生き方、ｃｏｕｎｔｒｙ  ｌｉｆｅ、いなかの生活…」を有名人「マリ＊ン」の音声によって出力させる。
【００８８】
これにより、通信電子辞書１０のユーザ（例えば「タロウ」）は、送信先として指定している「ミユキ」「アミ」に対して電子辞書サーバ１４から送信される有名人音声合成データによって出力される音声内容を確認することができる。なお、ここで出力された音声を確認することで別の有名人の音声を送信したい場合には、カーソルキーの操作によって別の有名人（例えば「ジョンレ＊ン」）を指定して、前述と同様にして、その指定した有名人の音声によって読み上げられる内容を確認することができる。
【００８９】
ここで、カーソルキーの操作により、最終確認のための項目「よろしいですか？」が［はい］に指定され、「訳／決定」キーが押された場合（ステップＡ２７）、ＣＰＵ２０は、送信先として指定された「友人」（ここでは「ミユキ」「アミ」）について、似顔絵友達帳データ２２ｆを参照して、友人が所持している通信電子辞書のアドレスと辞書名のデータを読み出し、このデータとＭｙヒストリデータ２２ｃに登録されたデータ、すなわち見出し語、語義番号（及び品詞のデータ））と共に、辞書データ２２ｂに付加された辞書名のデータ、指定表示画面で指定された有名人の情報を、他の端末への送信依頼と共に電子辞書サーバ１４に通信部２９を通じて送信する（ステップＡ３１）。
【００９０】
そして、ＣＰＵ２０は、送信したヒストリデータ（見出し語、語義番号（及び品詞））と辞書名のデータの他、送信先名、日付、音声データ管理用データの各データを送信ヒストリデータ２２ｅとして記録する（ステップＡ３０）。例えば、図６に示す送信ヒストリデータ２２ｅでは、見出し語「ｌｉｆｅ」に対しては、品詞「名（名詞）」、語義番号「６」、送信先名「ミユキ・アミ」、日付「１１／２５」、音声データ管理用データ「有（有名人指定有り）、マリ＊ン（有名人名）」が記録されている。
【００９１】
ＣＰＵ２０は、電子辞書サーバ１４に対して、検索結果の他の端末への送信依頼が完了すると、図１６（ａ）に示すように、表示部２７における表示画面を元の検索結果を表示する画面に戻す。
【００９２】
こうして、「タロウ」は通信電子辞書１０における辞書（ジ○ニアス英和辞書）を用いた検索結果（ヒストリデータ）の友人への送信依頼を、検索結果の内容を読み上げる有名人を指定して電子辞書サーバ１４に対して要求をすることができる。
【００９３】
一方、送信先と有名人音声の指定表示画面において「音声なし」が指定され、最終確認のための項目「よろしいですか？」が［はい］に指定され、「訳／決定」キーが押された場合（ステップＡ２８）、ＣＰＵ２０は、送信先として指定された「友人」について、似顔絵友達帳データ２２ｆを参照して、友人が所持している通信電子辞書のアドレスと辞書名のデータを読み出し、このデータとＭｙヒストリデータ２２ｃに登録されたデータ、すなわち見出し語、語義番号（及び品詞のデータ））と共に、辞書データ２２ｂに付加された辞書名のデータ（辞書を識別する特定情報）を、他の端末への送信依頼と共に電子辞書サーバ１４に通信部２９を通じて送信する（ステップＡ２９）。
【００９４】
そして、ＣＰＵ２０は、送信したヒストリデータ（見出し語、語義番号（及び品詞））と辞書名のデータの他、送信先名、日付、音声データ管理用データの各データを送信ヒストリデータ２２ｅとして記録する（ステップＡ３０）。
【００９５】
こうして、「タロウ」は、例えば教科書に記載されている単語「ｐｒｏｂｌｅｍ」「ｒｅｍｅｍｂｅｒ」「ｐｒｅｃｉｏｕｓ」について、前述と同様にして通信電子辞書１０（ジ○ニアス英和辞書）を用いて検索を実行し、検索結果ヒストリデータ、すなわち「ｐｒｏｂｌｅｍ、名、１」「ｒｅｍｅｍｂｅｒ、動他、２」「ｐｒｅｃｉｏｕｓ、形、１」を「ミユキ」「アミ」に対して送信したものとする。
【００９６】
この他の通信電子辞書に対して送信したヒストリデータは、送信ヒストリデータ２２ｅとして記録される。ここで、「英和」辞書を示す辞書キーが押され、英和辞書を検索する辞書モードに移行すると、ＣＰＵ２０は、英和辞書を検索する辞書モードの初期画面を表示させる。ここで、例えば図１６（ｂ）に示すように、右カーソルキーが２回押されることで、「送信ヒストリ」タグが指定されると、ＣＰＵ２０は、受信ヒストリデータ２２ｄの内容、すなわち見出し語、語義番号、及び品詞と対応づけて、送信先の友人の似顔絵を表すアイコンと日付と共に、見出し語と語義番号から検索される辞書データ２２ｂの説明情報を表示する。
図１６（ｂ）に示す例では、友人の「ツヨシ」に対して、１１月２３日に見出し語「ｋｉｎｄ」についてのヒストリデータを送信し、「ミユキ」「アミ」に対して、１１月２５日に見出し語「ｌｉｆｅ」「ｐｒｏｂｌｅｍ」「ｒｅｍｅｍｂｅｒ」「ｐｒｅｃｉｏｕｓ」についてのヒストリデータを送信したことが分かる。
なお、友人の似顔絵のアイコンを表示させることで、視覚的に容易に送信先の相手を把握し、通信電子辞書１０を用いて検索の対象となった書籍など（例えば送信者が同じクラスに所属していれば授業で使用する教科書など）を推測することができる。また、日付を表示させることで、送信者と日付をもとにして、必要としているヒストリ（検索結果）であるかを推測することができる。例えば、当日の日付であれば、翌日の英語の授業で扱われる教科書中の単語の検索結果であることが推測できる。
【００９７】
次に、電子辞書サーバ１４におけるサーバ処理について、図１２に示すフローチャートを参照しながら説明する。
ＣＰＵ３０は、通信部３８を通じて端末からの通信があると（ステップＣ１）、他の端末へのヒストリデータの送信依頼であるか、あるいは試聴用音声データの送信要求であるかを判別する（ステップＣ２）。
【００９８】
ここで、試聴用音声データの送信要求であった場合（ステップＣ２、Ｎｏ）、ＣＰＵ３０は、送信元の通信電子辞書１０において（図１１、ステップＡ２５）指定された有名人と辞書名と見出し語の語義番号の情報を取得できた場合（ステップＣ８）、辞書名に該当する語義見出しテーブルが語義リンクテーブル３２ｂにあるか判別する（ステップＣ９）。ここで、該当する語義見出しテーブルがある場合、ＣＰＵ３０は、語義リンクテーブル３２ｂの該当する語義見出しテーブルを対象として、指定された見出し語の語義番号に対応する先頭データを読み出す（ステップＣ１０）。
【００９９】
そして、ＣＰＵ３０は、有名人別・音声合成用データ３３ｄとして予め用意されている複数の有名人についての音声合成用データのうち、送信元の通信電子辞書１０において指定された有名人音声合成用のデータを用いて、語義リンクテーブル３２ｂから読み出された先頭データを読み上げる有名人の音声による音声データ（試聴用有名人音声合成データ）を生成して、通信部３８を通じて要求元の通信電子辞書１０に対して送信する（ステップＣ１１）。この際、有名人音声合成データを格納するファイルを圧縮することでデータ量を少なくし、送信コストを低減させるようにしても良い。
【０１００】
有名人音声合成データを受信した通信電子辞書１０では、有名人音声合成データを再生することで、辞書の内容（先頭データ）を有名人の音声によって読み上げ（試聴）させることができる（図１１、ステップＡ２５）。
【０１０１】
一方、通信電子辞書１０からの通信により他の端末へのヒストリデータの送信依頼を受信した場合（ステップＣ２、Ｎｏ）、ＣＰＵ３０は、通信電子辞書１０から受信した送信元の通信電子辞書１０で使用されている辞書（以下、送信元辞書と称する）の辞書名と送信先の通信電子辞書１０で使用されている辞書（以下、送信先辞書と称する）の辞書名のデータをもとに、それぞれの辞書名に該当する語義見出しテーブルが語義リンクテーブル３２ｂにあるか判別する（ステップＣ３）。ここで、該当する語義見出しテーブルがある場合、ＣＰＵ３０は、語義リンクテーブル３２ｂの送信元辞書に該当する語義見出しテーブルを対象として、受信したヒストリデータ中の見出し語の語義番号に対応する送信先辞書の語義番号を読み出す（ステップＣ４）。
【０１０２】
例えば、「タロウ」が使用する通信電子辞書１０ａの送信元辞書がジ○ニアス英和辞書であり、見出し語「ｌｉｆｅ」の語義番号「６」を取得し、送信先辞書（「ミユキ」が使用している通信電子辞書１０ｂに搭載されている辞書）がニュ○セ○チュリー英和辞書であれば、図８に示す語義リンクテーブル３２ｂに関連付けられた語義番号をもとに、ジ○ニアス英和辞書における見出し語「ｌｉｆｅ」の語義番号「６」（「生活、暮らし（方）、生き方…」の語義を示す）に対応する、ニュ○セ○チュリー英和辞書用の語義番号「１３」（「（特定の）生活…、暮らし方…」の語義を示す）を読み出す。
【０１０３】
ＣＰＵ３０は、指定された送信先の他の通信電子辞書に対してヒストリデータ、すなわち見出し語、語義リンクテーブル３２ｂを用いて送信先の辞書に合わせて変換した語義番号（及び品詞のデータ）、送信先の辞書名のデータ（辞書を識別する特定情報）、及び送信者名の各データを、通信部２８を通じて送信する（ステップＣ５）。
【０１０４】
また、送信元の通信電子辞書１０から「有名人の情報」を受信している場合（ステップＣ６、Ｙｅｓ）、ＣＰＵ３０は、有名人別・音声合成用データ３３ｄとして予め用意されている複数の有名人についての音声合成用データのうち、送信元の通信電子辞書１０において指定された有名人音声合成用のデータを用いて、語義リンクテーブル３２ｂから読み出された先頭データを読み上げる有名人の音声による音声データ（有名人音声合成データ）を生成して、通信部３８を通じて送信先の通信電子辞書１０に対して送信する（ステップＣ７）。この際、有名人音声合成データを格納するファイルを圧縮することでデータ量を少なくし、送信コストを低減させるようにしても良い。
【０１０５】
また、有名人音声合成データに、該当する有名人名を示すデータとアイコン（例えば有名人の似顔絵）を表示するためのアイコンデータを付加して送信するようにしても良い。これにより送信先の通信電子辞書１０に有名人データが記録されていなくても、有名人名とアイコンとを表示させることができる。
【０１０６】
なお、前述した説明では、電子辞書サーバ１４では送信元の通信電子辞書１０から指定された有名人の声を出力させるための有名人音声合成データ（試聴用も含む）を、語義リンクテーブル３２ｂに記録された見出し語の各語義番号に対応する先頭データを対象にして生成しているが、通信電子辞書１０で使用されている辞書（ジ○ニアス英和辞書、ニュ○セ○チュリー英和辞書、デ○リーコ○サイス英和辞書など）の辞書データを記録しておくことで、先頭データだけではなく、辞書データ中の説明情報の全てを読み上げるための有名人音声合成データを生成するようにしても良い。説明情報に「用例」などの付加情報がある場合には、これら「用例」を読み上げるための有名人音声合成データを生成することもできる。
【０１０７】
このようにして、電子辞書サーバ１４におけるサーバ処理では、送信元の通信電子辞書１０における辞書（例えば、ジ○ニアス英和辞書）を用いた検索結果（ヒストリデータ）を、送信先の通信電子辞書に搭載されている辞書（例えば、ニュ○セ○チュリー英和辞書）に合わせて、検索対象となった見出し語の語義番号に変換して送信することができる。この際、送信元から検索結果を読み上げるための「有名人の情報」を取得している場合には、指定された有名人の擬似音声によって検索結果を読み上げる音声合成データを生成して、送信先の通信電子辞書１０に対して送信することができる。
【０１０８】
なお、図１２に示すサーバ処理では、送信元の通信電子辞書１０から受信した見出し語と語義番号を、語義リンクテーブル３２ｂを用いて送信先の辞書における見出し語の語義番号に変換して、ヒストリデータとして送信先の通信電子辞書１０に送信しているが、語義番号だけでなく語義の内容（説明情報）を送信先の通信電子辞書１０に送信するようにしても良い。例えば、語義リンクテーブル３２ｂに記録された送信先の辞書（送信元の通信電子辞書１０により指定された辞書）の先頭データ（説明情報の一部）を送信する。また、電子辞書サーバ１４に各通信電子辞書１０に搭載される辞書が記録されている場合には、該当する語義の説明情報の全てを送信するようにしても良い。
【０１０９】
こうして、電子辞書サーバ１４から辞書の内容（説明情報）を送信先の通信電子辞書１０に送信することで、送信先の通信電子辞書１０に辞書が搭載されていなくても辞書を利用することができる。例えば、通信電子辞書１０が携帯電話などによって実現され記憶容量に制限があるために辞書データの全てを記録できない場合であっても、他の通信電子辞書１０から提供される有効な辞書検索結果については詳細な説明情報を取得することができるようになる。
【０１１０】
なお、送信先の通信電子辞書１０に説明情報を送信する場合、送信先の通信電子辞書１０に搭載された辞書における説明情報ではなく、送信元の通信電子辞書１０に搭載された辞書の説明情報を送信するようにしても良い。また、送信先の通信電子辞書１０に対しては、常に該当する語義の説明情報（あるいはその一部）を常に送信するようにしても良いし、送信先の辞書が予め決められた特定の辞書、例えば情報量が少ない辞書である場合に説明情報を送信するようにしても良い。
【０１１１】
次に、通信電子辞書１０における受信ヒストリ表示処理について、図１３及び図１０（前述した辞書検索処理の一部）に示すフローチャートを参照しながら説明する。
【０１１２】
ここでは、ユーザ「ミユキ」が使用する通信電子辞書１０ｂを対象として、電子辞書サーバ１４を通じて、他の通信電子辞書からヒストリデータを受信する場合について説明する。
【０１１３】
例えばユーザ「ミユキ」は、通信電子辞書１０に用意されているニュ○セ○チュリー英和辞書（辞書データ２２ｂ）を検索対象とする辞書として、例えば「英和」辞書を示す辞書キーを押すことで指定する。ＣＰＵ２０は、辞書キーが押されることで、英和辞書を検索する辞書モードに移行する。英和辞書を検索する辞書モードの初期画面では、検索文字列を入力するための入力欄の他、Ｍｙヒストリデータ２２ｃ、受信ヒストリデータ２２ｄ、送信ヒストリデータ２２ｅの内容を表示するためのタグ（「ＭＹヒストリ」「受信ヒストリ」「送信ヒストリ」）が設けられている。例えば、図１７（ａ）に示すように、「ＭＹヒストリ」「受信ヒストリ」「送信ヒストリ」タグが表示された初期画面が表示される（「ＭＹヒストリ」が選択された状態）。ここでは、任意にタグを指定して、該当するヒストリの内容を一覧表示させることができる。
【０１１４】
ここで、通信電子辞書１０は、電子辞書サーバ１４から通信部２９を通じてヒストリデータの受信があった場合（ステップＢ１、Ｙｅｓ）、先頭の受信したヒストリデータを指定し（ステップＢ９）、その受信したヒストリデータ（見出し語、辞書名、語義番号（及び品詞）、送信者名を示す各データ）を読み出す（ステップＢ３）。
【０１１５】
そして、ＣＰＵ３０は、受信したヒストリデータについての見出し語、辞書名、語義番号（及び品詞）、送信者名を示す各データを、受信ヒストリデータ２２ｄとして登録する（ステップＢ４）。また、ＣＰＵ３０は、ヒストリデータを受信した日付のデータを対応づけて登録する。
【０１１６】
ここで、ヒストリデータと共に有名人音声合成データを受信した場合（ステップＢ５、Ｙｅｓ）、ＣＰＵ３０は、受信した有名人音声合成データを有名人音声合成データ２２ｇとして保存する（ステップＢ６）。この際、有名人音声合成データにアイコンデータが付加されていた場合には、有名人音声合成データと関連付けてアイコンデータも保存する。また、ＣＰＵ３０は、受信ヒストリデータ２２ｄの音声データ管理用データに、音声データ有りを示すデータと共に、有名人を示すデータを登録する（ステップＢ７）。例えば、図５に示す見出し語「ｌｉｆｅ」に対する音声データ管理用データには、音声データ「有り」を示すデータと、有名人名として「マリ＊ン」が登録されている。
【０１１７】
以下、同様にして、電子辞書サーバ１４から受信したヒストリデータが他にあれば、同様の処理をそれぞれのヒストリデータに対して繰り返して実行する（ステップＢ３〜Ｂ８）。
【０１１８】
全ての受信したヒストリデータを受信ヒストリデータ２２ｄとして登録すると（ステップＢ８、Ｎｏ）、ＣＰＵ２０は、受信ヒストリデータ２２ｄをもとに受信ヒストリを一覧表示させる（ステップＢ９）。なお、「英和」辞書モードに移行した初期画面において、図１７（ｂ）に示すように、例えば右カーソルキーが押された場合に、選択タグを「受信ヒストリ」に移動させて、受信ヒストリデータ２２ｄをもとに受信ヒストリを一覧表示させることもできる。
【０１１９】
ＣＰＵ２０は、受信ヒストリデータ２２ｄから見出し語、語義番号（自辞書用）、品詞のデータを表示する。また、このデータと対応づけて送信者名のデータに応じて似顔絵友達帳データ２２ｆから読み出したアイコンデータによる友人のアイコン（似顔絵アイコン）と受信日とを表示させる。また、受信したヒストリデータの見出し語と自辞書用に変換された語義番号に応じて、辞書データ２２ｂから該当する語義の内容（説明情報）を読み出して表示する。なお、通信電子辞書１０の辞書データ２２ｂと対応づけて、各見出し語のそれぞれの語義についての先頭の内容だけを登録したテーブル（語義リンクテーブル３２ｂの語義見出しテーブルに相当するもの）が記憶されている場合には、受信したヒストリデータの見出し語と語義番号をもとに、このテーブルを検索して該当する語義の先頭データのみを取得して一覧表示に供することができる。
【０１２０】
また、ヒストリデータと共に有名人音声合成データを受信している場合には、有名人のアイコンデータをもとにして、音声出力が可能であることを表すようにアイコンを表示させる。図１７（ｂ）に示す一覧表示の例では、各見出し語について同じ有名人「マリ＊ン」のアイコンデータが表示されている。なお、アイコンは、単なる有名人の似顔絵を表すだけでなく、音声付きであることが明示されるように「吹き出し」の形状パターンが付加されている。「吹き出し」が付加された有名人のアイコンの詳細を図１８（ｂ）に示している。
【０１２１】
また、ＣＰＵ２０は、受信ヒストリの表示エリアにおいて、現在選択されている見出し語（初期段階では先頭の見出し語）（品詞及び語義番号を含む）に反転カーソルを設定し、反転表示により強調する（ステップＢ１０）。
【０１２２】
ここで、上または下方向のスクロールキーが押された場合（ステップＢ１１）、ＣＰＵ２０は、反転カーソルの位置を現在の見出し語から上または下の次の見出し語に移動させる。そして、スクロールキーが繰り返し押され、反転カーソルの位置が画面端の見出し語にまで移動されると、画面スクロールさせて新たな見出し語に反転カーソルの位置を移動させて、この見出し語に対応する先頭データを表示させる（ステップＢ１２）。こうして、何れかの見出し語と語義番号の組みを任意に選択することができる。例えば、図１７（ｃ）は、受信ヒストリに一覧表示された複数のヒストリデータから見出し語「ｌｉｆｅ」が反転カーソルによって選択されている状態を表している。
【０１２３】
ここで、「音声」キーが押された場合（ステップＢ１３、Ｙｅｓ）、ＣＰＵ２０は、反転カーソルによって指定されている見出し語と語義に対応する有名人音声合成データを記録していれば、音声出力部２８によって該当する有名人音声合成データを再生させて、見出し語に対応する説明情報（この場合では先頭データ）を読み上げる有名人の擬似音声を出力させる（ステップＢ１４）。
【０１２４】
同様にして、カーソルキーの操作によって任意の見出し語（語義）を指定し、「音声」キーを押すことで、該当する見出し語の語義の内容（先頭データ）を有名人の音声によって読み上げさせることができる（ステップＢ１１〜Ｂ１４）。
【０１２５】
また、何れかの見出し語が反転カーソルによって指定された状態で「訳／決定」キーが押された場合（ステップＢ１５）、ＣＰＵ２０は、現在選択されている見出し語及び語義番号に応じて、辞書データ２２ｂから対応する説明情報を読み出して表示させる（ステップＢ１６）。また、ＣＰＵ２０は、この検索によって得られた検索結果、すなわち現在検索対象となった見出し語を示すデータをＭＹヒストリデータ２２ｄに登録し、表示画面中に設けられたヒストリ表示エリア（例えば表示画面中の上部に設けられる）に、ＭＹヒストリデータ２２ｄから最後に登録された順に３単語を読み出して表示させる（ステップＢ１７）。図１８（ａ）に示す例では、「ｒｅｍｅｍｂｅｒ」「ｐｒｏｂｌｅｍ」の他、最後に説明情報を表示させた「ｌｉｆｅ」の単語がＭＹヒストリデータ２２ｄの最新３単語として表示されている。
【０１２６】
なお、説明情報を表示する画面中においても、電子辞書サーバ１４から有名人音声合成データを受信していることを表すように有名人のアイコンを表示させている。図１８（ａ）に示す例では、画面右上隅に有名人「マリ＊ン」のアイコン（詳細は図１８（ｂ）に示す）を表示している。
【０１２７】
以下、「ミユキ」が使用する通信電子辞書１０ｂでは、前述した辞書検索処理におけるステップＡ６以降の処理を実行することができる。例えば、上下カーソルキーの操作によって、前後の語義の説明情報を表示させたり（ステップＡ７，Ａ８）、説明情報中の「用例」を選択して用例の内容を表示させるといったことができる（ステップＡ１１）。また、「音声」キーが押された場合（ステップＡ９）、ＣＰＵ２０は、現在表示中の見出し語と語義に対応する有名人音声合成データ（ここでは語義の先頭データに対応する）が記録されていれば、この該当する有名人音声合成データを音声出力部２８によって再生させて、見出し語に対応する説明情報を読み上げる有名人の擬似音声を出力させる（ステップＡ１０）。
なお、電子辞書サーバ１４から該当する見出し語の語義の説明情報（用例などの内容を含む）を読み上げる有名人音声合成データを電子辞書サーバ１４から受信して記録している場合には、先頭データを読み上げる音声だけでなく、説明情報の全てを読み上げる音声を出力させることもできる。
【０１２８】
次に、ユーザ「アミ」が使用する通信電子辞書１０ｃにおける表示例について説明する。
通信電子辞書１０は、電子辞書機能が搭載された専用装置に限らず、携帯電話やＰＤＡ（ｐｅｒｓｏｎａｌ  ｄｉｇｉｔａｌ  ａｓｓｉｓｔａｎｔ）などの携帯を目的とした装置に電子辞書機能を搭載して実現されても良い。携帯を目的とした携帯電話やＰＤＡなど、記憶容量や表示画面が比較的小さい電子機器によって通信電子辞書１０を実現する場合には、例えば情報量を少なくしたデ○リーコ○サイス英和辞書などの辞書データを扱うようにすることが好ましい。
【０１２９】
ユーザ「アミ」が使用する通信電子辞書１０ｃは、例えば携帯電話によって実現されるものとして、情報量を少なくしたデ○リーコ○サイス英和辞書の辞書データ２２ｂが記録されているものとする。また、通信電子辞書１０ｃは、ユーザ「ミユキ」の使用する通信電子辞書１０ｂと同じヒストリデータを他の通信電子辞書から受信しているものとする。
【０１３０】
図１９（ａ）には、ユーザ「アミ」の通信電子辞書１０ｃの初期画面を表している。ここで、右カーソルキーの操作によって「受信ヒストリ」タグが選択されると、図１９（ｂ）に示すように、他の通信電子辞書から受信した受信ヒストリデータ２２ｄの内容が一覧表示される。通信電子辞書１０ｃは、電子辞書サーバ１４を通じて他の通信電子辞書から受信したデータをもとに、見出し語、語義番号（自辞書用）、品詞、送信元の友人の似顔絵によるアイコン、受信日を表示すると共に、受信したヒストリデータの見出し語と自辞書用に変換された語義番号に応じて、辞書データ２２ｂから該当する語義の内容（説明情報）を読み出して表示する。図１９（ｂ）に示す例では、見出し語「ｌｉｆｅ」については説明情報として「生活」のみが表示されている。
【０１３１】
また、電子辞書サーバ１４から有名人音声合成データを受信している場合には、有名人のアイコンデータをもとにして、音声出力が可能であることを表すようにアイコンを表示させる。図１９（ｂ）に示す一覧表示の例では、「吹き出し」が付加された有名人「マリ＊ン」のアイコンが表示されている（図１８（ｂ）参照）。
【０１３２】
受信ヒストリの一覧表示中では、図１９（ｃ）に示すように、見出し語（品詞、語義番号）をカーソルキーによる反転カーソルの移動操作によって任意に選択することができる。
【０１３３】
ここで、何れかの見出し語が選択された状態で「音声」キーが押された場合、ＣＰＵ２０は、反転カーソルによって指定されている見出し語と語義に対応する有名人音声合成データを記録していれば、音声出力部２８によって該当する有名人音声合成データを再生させて、見出し語に対応する説明情報（この場合では先頭データ）を読み上げる有名人の擬似音声を出力させる。
【０１３４】
また、何れかの見出し語が選択された状態で「訳／決定」キーを押されることで、選択された見出し語及び語義番号をもとに、辞書データ２２ｂ（ここではデ○リーコ○サイス英和辞書）を検索して、該当する説明情報を表示させることができる。
【０１３５】
図２０には、受信ヒストリ中から選択された見出し語「ｌｉｆｅ」に該当する説明情報が表示された画面の一例を示している。なお、デ○リーコ○サイス英和辞書は、他の辞書（ジ○ニアス英和辞書、ニュ○セ○チュリー英和辞書）と比較して、説明情報の情報量を少なくした構成であるので、複数の語義についての説明情報を一括して表示している。従って、該当する語義番号に対応する説明情報（ここでは「生活」）を反転表示によって表している。
【０１３６】
なお、図１９及び図２０に示す表示画面は一例であって、携帯電話に設けられた限られた表示画面サイズに応じたフォーマットを用いることができ、例えば各図で示す表示内容を複数画面で切り替えて表示させるようにしても良い。
【０１３７】
このようにして、送信元の通信電子辞書１０と異なる辞書を搭載している場合であっても、電子辞書サーバ１４において自辞書に応じた見出し語と語義番号に変換されてヒストリデータを受信することができるので、受信したヒストリデータをもとに辞書データ２２ｂから該当する語義番号の説明情報を検索して表示させることができる。従って、１つの見出し語に対して複数の語義の説明情報がある場合であっても、他の通信電子辞書１０における辞書の語義に関する情報を利用して、必要とする説明情報を簡単に利用することが可能となる。
【０１３８】
なお、携帯電話などの記憶容量が限られた電子機器により通信電子辞書１０が実現されている場合、電子辞書サーバ１４からヒストリデータ（見出し語、語義番号）だけでなく、該当する語義の説明情報も共に受信することができる場合には、電子辞書サーバ１４から受信した説明情報を用いて、受信ヒストリの一覧表示をするようにしても良い。さらに、電子辞書サーバ１４から説明情報を受信できる場合には、通信電子辞書１０に記録される辞書データ２２ｂを本来の辞書の内容の一部、例えば説明情報については先頭データに該当するデータのみとすることで、辞書データ２２ｂのデータ量を少なくして、通信電子辞書１０の限られた記憶容量を有効に利用できるようにすることもできる。さらに、通信電子辞書１０に辞書データ２２ｂを全く必要としないようにしても良い。こうした通信電子辞書１０は、例えば、電子辞書サーバ１４に対して説明情報の送信が必要であることを通知する。電子辞書サーバ１４は、送信先の通信電子辞書１０から説明情報の送信要求があった場合に、ヒストリデータ（見出し語、語義番号）だけでなく、該当する語義の説明情報を送信する。この際、電子辞書サーバ１４は、説明情報だけでなく見出し語と語義番号、さらには説明情報の内容を読み上げる有名人音声合成データを共に送信しても良い。また、説明情報に代えて有名人音声合成データのみを送信するようにしても良い。
【０１３９】
また、前述した説明では、電子辞書サーバ１４において検索結果の内容を読み上げるための有名人音声合成データを生成して、送信先の通信電子辞書１０に送信するとしているが、通信電子辞書１０のそれぞれに有名人別・音声合成用データを保持させておくことで、通信電子辞書１０において有名人音声合成データを生成して音声出力するようにしても良い。この場合、ユーザからの指示に応じて、予め音声出力の対象とする有名人の音声合成用データを電子辞書サーバ１４からダウンロードして記録しておいたり、電子辞書サーバ１４がヒストリデータと共に送信元の通信電子辞書１０において指定された有名人の音声合成用データを送信先の通信電子辞書１０に送信するようにしても良い。
【０１４０】
また、前述した説明では、電子辞書サーバ１４から送信先の通信電子辞書１０に対して、見出し語と語義番号、及びこの語義番号に対応する説明情報の内容を読み上げる音声の有名人音声合成データとを送信するとしているが、見出し語と有名人音声合成データのみを送信するようにしても良い。送信先の通信電子辞書１０では、電子辞書サーバ１４から受信した見出し語を表示すると共に、有名人音声合成データを再生することで、見出し語に対応する説明情報の内容を音声によって取得することができる。さらに、電子辞書サーバ１４は、送信元の通信電子辞書１０から見出し語と語義番号を受信するとしているが、見出し語の情報だけを受信するようにしても良い。その他の処理については、前述と同様にして実行されるものとする。
【０１４１】
また、通信電子辞書１０における辞書データ２２ｂでは、１つの見出し語情報に対して少なくとも１つの語義番号によって説明情報を分類しているが、語義番号によらず他の分類情報、例えば記号、文字列などによって分類する形式であっても良い。
【０１４２】
また、通信電子辞書１０で用いられる辞書データは、ネットワークを通じて、電子辞書サーバ１４からダウンロードされるものとしても良い。
【０１４３】
また、本発明は、前述した実施形態に限定されるものではなく、実施段階ではその要旨を逸脱しない範囲で種々に変形することが可能である。また、前述した実施形態で実行される機能は可能な限り適宜組み合わせて実施しても良い。前述した実施形態には種々の段階の発明が含まれており、開示される複数の構成要件における適宜の組み合わせにより種々の発明が抽出され得る。例えば、実施形態に示される全構成要件から幾つかの構成要件が削除されても、効果が得られるので有れば、この構成要件が削除された構成が発明として抽出され得る。
【０１４４】
また、前述した各実施形態において記載した処理は、コンピュータに実行させることのできるプログラム（辞書管理制御プログラム２２ａ、辞書データ送信プログラム３２ａ）として、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。通信電子辞書あるいは電子辞書サーバを実現するコンピュータは、記録媒体に記録されたプログラムを読み込み、または通信媒体を介してプログラムを受信し、このプログラムによって動作が制御されることにより、上述した処理を実行する。
【０１４５】
【発明の効果】
以上のように、本発明の請求項１の電子辞書管理装置によれば、見出し語情報に対して複数の語義の説明情報がある場合であっても、送信元の電子機器における辞書検索によって得られた見出し語情報と語義の分類情報を利用して、送信先の電子機器に搭載された辞書の該当する見出し語情報の語義の分類情報に対応する説明情報を簡単に利用させることができる。
【０１４６】
また本発明の請求項２の電子辞書管理装置によれば、語義リンク記録手段によって記録された、各辞書の見出し語情報毎の語義の分類情報の関連づけを参照することで、受信した見出し語情報と語義の分類情報に対する送信先の電子機器の辞書における見出し語情報と語義情報を簡単に取得して、送信先の電子機器に送信することができる。
【０１４７】
また本発明の請求項３の電子辞書管理装置によれば、送信元の電子機器から受信した音声の送信依頼に応じて、送信先の電子機器に対して、見出し語情報と語義の分類情報に加えて、語義の分類情報に対応する情報（例えば辞書に記録される説明情報）の音声データを送信して、送信先の電子機器において情報内容を音声によって出力させることができる。
【０１４８】
また本発明の請求項４の電子辞書管理装置によれば、送信先の電子機器に対して送信される音声データが再生された時の音質を、送信元の電子機器から指定することができる。
【０１４９】
また本発明の請求項５の電子辞書管理装置によれば、歴史上の人物や著名人などの有名人（人物）を送信元の電子機器から指定して、送信先の電子機器においての有名人による（擬似）音声を出力させることができる。
【０１５０】
また本発明の請求項６の電子辞書管理装置によれば、語義の分類情報に対応する説明情報が送信先の電子機器に記録されていない場合、すなわち辞書が搭載されていない場合であっても、電子辞書管理装置から説明情報を送信することで、送信先の説明情報の内容を利用することができる。
【０１５１】
また本発明の請求項７の電子辞書管理装置によれば、送信先の電子機器では、電子辞書管理装置から受信した情報を一覧表示させるなど、見出し語情報と語義の分類情報に対応する情報の全てを必要としない処理に利用することができる。
【０１５２】
また本発明の請求項８の電子辞書管理装置によれば、送信元の電子機器における辞書検索によって得られた見出し語情報に該当する説明情報を、送信先の電子機器において音声によって取得させることができる。
【０１５３】
また本発明の請求項９の電子辞書管理装置によれば、送信先の電子機器に対して送信される音声データが再生された時の音質を、送信元の電子機器から指定することができる。
【０１５４】
また本発明の請求項１０の電子辞書管理装置によれば、歴史上の人物や著名人などの有名人（人物）を送信元の電子機器から指定して、送信先の電子機器においての有名人による（擬似）音声を出力させることができる。
【０１５５】
また本発明の請求項１１の電子辞書管理装置によれば、説明情報を読み上げるための音声データだけでなく、説明情報が送信され、送信先の電子機器において説明情報を表示させるなど、他の処理に利用することができる。
【０１５６】
また本発明の請求項１２の辞書データ送信プログラムによれば、コンピュータにより、見出し語情報に対して複数の語義の説明情報がある場合であっても、送信元の電子機器における辞書検索によって得られた見出し語情報と語義の分類情報を利用して、送信先の電子機器に搭載された辞書の該当する見出し語情報の語義の分類情報に対応する説明情報を簡単に利用させることができる。
【０１５７】
また本発明の請求項１３の辞書データ送信プログラムによれば、コンピュータにより、送信元の電子機器における辞書検索によって得られた見出し語情報に該当する説明情報を、送信先の電子機器において音声によって取得させることができる。
【図面の簡単な説明】
【図１】本実施形態における電子辞書検索履歴管理システムの構成を示すブロック図。
【図２】本実施形態における通信電子辞書１０の構成を示すブロック図。
【図３】本実施形態における電子辞書サーバ１４の構成を示すブロック図。
【図４】本実施形態におけるＭｙヒストリデータ２２ｃとして記録されるデータの一例を示す図。
【図５】本実施形態における受信ヒストリデータ２２ｄとして記録されるデータの一例を示す図。
【図６】本実施形態における送信ヒストリデータ２２ｅとして記録されるデータの一例を示す図。
【図７】本実施形態における似顔絵友達帳データ２２ｆとして記録されるデータの一例を示す図。
【図８】本実施形態における語義リンクテーブル３２ｂのデータ構成の一例を示す図。
【図９】本実施形態における語義リンクテーブル３２ｂのデータ構成の一例を示す図。
【図１０】本実施形態における通信電子辞書１０の辞書検索処理について説明するためのフローチャート。
【図１１】本実施形態における通信電子辞書１０の辞書検索処理について説明するためのフローチャート。
【図１２】本実施形態における通信電子辞書１０の受信ヒストリ表示処理について説明するためのフローチャート。
【図１３】本実施形態における電子辞書サーバ１４のサーバ処理について説明するためのフローチャート。
【図１４】本実施形態における通信電子辞書１０（送信側）の表示画面の一例を示す図。
【図１５】本実施形態における通信電子辞書１０（送信側）の表示画面の一例を示す図。
【図１６】本実施形態における通信電子辞書１０（送信側）の表示画面の一例を示す図。
【図１７】本実施形態における通信電子辞書１０（受信側）の表示画面の一例を示す図。
【図１８】本実施形態における通信電子辞書１０（受信側）の表示画面の一例を示す図。
【図１９】本実施形態における通信電子辞書１０（受信側）の表示画面の一例を示す図。
【図２０】本実施形態における通信電子辞書１０（受信側）の表示画面の一例を示す図。
【符号の説明】
１０（１０ａ，１０ｂ，１０ｃ，１０ｄ）…通信電子辞書、１２…インターネット、１４…電子辞書サーバ、２０，３０…ＣＰＵ３０、２２，３２…メモリ、２２ａ…辞書管理制御プログラム、２２ｂ…辞書データ、２２ｃ…Ｍｙヒストリデータ、２２ｄ…受信ヒストリデータ、２２ｅ…送信ヒストリデータ、２２ｆ…似顔絵友達帳データ、２２ｇ…有名人別・音声合成用データ、２２ｈ…有名人データ、２２ｋ…音声合成用データ、２４，３４…記録装置、２６，３６…入力部、２７，３７…表示部、２８…音声出力部、２９，３８…通信部、３２ａ…辞書データ送信プログラム、３２ｂ…語義リンクテーブル、３３ｃ…個別ヒストリデータ、３３ｄ…有名人別・音声合成用データ。
【図１】
2004265146.tif 000003
【図２】
2004265146.tif 000004
【図３】
2004265146.tif 000005
【図４】
2004265146.tif 000006
【図５】
2004265146.tif 000007
【図６】
2004265146.tif 000008
【図７】
2004265146.tif 000009
【図８】
2004265146.tif 000010
【図９】
2004265146.tif 000011
【図１０】
2004265146.tif 000012
【図１１】
2004265146.tif 000013
【図１２】
2004265146.tif 000014
【図１３】
2004265146.tif 000015
【図１４】
2004265146.tif 000016
【図１５】
2004265146.tif 000017
【図１６】
2004265146.tif 000018
【図１７】
2004265146.tif 000019
【図１８】
2004265146.tif 000020
【図１９】
2004265146.tif 000021
【図２０】
2004265146.tif 000022